(57)【要約】【課題】  番組情報等を放送内容に連動して提供（提示）可能な放送受信制御装置等を提供する。【解決手段】  放送受信制御装置１は、映像データとＩＰデータとを含む放送波に対応するデータを、前記映像データと前記ＩＰデータとに分けるデータ分離部２と、前記ＩＰデータにＴＣＰヘッダを付加することによりＴＣＰ／ＩＰデータを生成するＴＣＰヘッダ追加部３とを備える。【選択図】  図１
2015204594.tif 000002
【特許請求の範囲】
【請求項１】
映像データとＩＰデータとを含む放送波に対応するデータを、前記映像データと前記ＩＰデータとに分けるデータ分離手段と、
前記ＩＰデータにＴＣＰヘッダを付加することによりＴＣＰ／ＩＰデータを生成するＴＣＰヘッダ追加手段とを備える
ことを特徴とする放送受信制御装置。
【請求項２】
請求項１に記載の放送受信制御装置と、
前記放送波を受信するチューナ手段と、
前記映像データを画面に表示、または、記憶装置に蓄積することが可能な映像データ処理手段と、
前記ＴＣＰ／ＩＰデータを外部装置に出力する出力手段とを備える
ことを特徴とする放送受信装置。
【請求項３】
前記出力手段は、前記ＴＣＰ／ＩＰデータを、複数の外部装置に出力可能であることを
特徴とする請求項２記載の放送受信装置。
【請求項４】
前記映像データを放送波に符号化する放送波符号化手段をさらに備えることを特徴とする請求項３記載の放送受信装置。
【請求項５】
使用者に関する情報を格納する使用者情報格納手段と、
前記使用者情報格納手段に格納された情報を基に請求項２乃至４の何れかに記載の放送受信装置から受信したデータから、表示するデータを抽出し、その抽出したデータを基に、表示する内容を表すデータを作成する作成手段と、
前記作成手段が作成したデータを画面に表示する表示手段とを備える
ことを特徴とする表示装置。
【請求項６】
情報処理装置が、
映像データとＩＰデータとを含む放送波を受信し、前記放送波を前記映像データと前記ＩＰデータとに分けて、
前記ＩＰデータにＴＣＰヘッダを付加することによりＴＣＰ／ＩＰデータを生成し、
前記ＴＣＰ／ＩＰデータを外部装置に出力する
ことを特徴とする受信データ表示方法。
【請求項７】
映像データとＩＰデータとを含む放送波に対応するデータを前記映像データと前記ＩＰデータとに分けるデータ分離機能と、
前記ＩＰデータにＴＣＰヘッダを付加することによりＴＣＰ／ＩＰデータを生成するＴＣＰヘッダ追加機能と、
前記ＴＣＰ／ＩＰデータを外部装置に出力する出力機能とを、
コンピュータに実現させる
ことを特徴とするコンピュータ・プログラム。
【請求項８】
使用者に関する情報を格納する使用者情報格納機能と、
前記使用者情報格納機能により格納された情報を基に外部装置から受信したデータから表示するデータを抽出し、その抽出したデータを基に、表示する内容を表すデータを作成する作成機能と、
前記作成機能が作成したデータを画面に表示する表示機能とを、
コンピュータに実現させる
ことを特徴とするコンピュータ・プログラム。
【発明の詳細な説明】
【技術分野】
【０００１】
本発明は、放送された映像データを表示等のために処理する技術に関する。
【背景技術】
【０００２】
テレビ放送波と連動して、その放送番組に関する情報を知りたいという視聴者の要望をかなえるために、さまざまな方法が実施されている。
【０００３】
例えば、放送波の本編映像データに番組情報データを付加して送信する方法がある。この方法は、本編映像データと混在して、データを送出および受信できるので、テレビは、表示している映像に連動して当該データに関する情報を表示することが可能である。しかし、データ放送は、限られた書式で表示する必要があり、また、その表示は、テレビ画面内に限られるといった制約がある。
【０００４】
そのような制約にしばられない方法として、放送に連動するデータをインターネットから取得し、テレビ画面、またはタブレット端末などの他のデバイスに表示する方法がある。この方法は、自由な形式で表示が可能となり、また、外部の表示端末の使用も可能である。このような方法の放送受信装置の構成について、図８を参照して説明する。図８は、一般的な放送受信装置の構成の一例を示す図である。
【０００５】
放送受信装置１０９は、デジタル放送波を受信することが可能な装置である。放送受信装置１０９は、例えばテレビ、レコーダー、セットトップボックスなどである。
【０００６】
放送受信装置１０９は、チューナ部９１と、映像データ処理部９３と、ＬＡＮ（Ｌｏｃａｌ  Ａｒｅａ  Ｎｅｔｗｏｒｋ）送受信部９５とを有する。
【０００７】
チューナ部９１は、デジタル放送波に含まれる映像データを受信して、映像データ処理部９３に入力する。
【０００８】
映像データ処理部９３は、入力された映像データを、液晶パネル（図示せず）や記憶装置（図示せず）に送信する。
【０００９】
ＬＡＮ送受信部９５は、インターネット等から番組情報を受信する。ＬＡＮ送受信部９５は、その情報を、有線ＬＡＮ又は無線ＬＡＮ、あるいは、これらの組み合わされたＬＡＮシステムによって外部表示装置２０９に送信する。
【００１０】
外部表示装置２０９は、放送受信装置１０９のＬＡＮ送受信部９５から受信したデータを、外部表示装置２０９が有する液晶画面等に表示する。
【００１１】
視聴者は、一般的なデータ放送と比較してより詳細な番組情報を、表示画面における映像表示部分を縮小することなく閲覧することが可能である。
【００１２】
しかしながら、図８に示す構成においては、以下の課題がある。
【００１３】
放送受信装置１０９は、詳細な番組情報をネットワークから取得するので、視聴者がテレビを視聴する場所にネットワーク環境が整備されていることが必須となる。さらに、そのネットワーク環境におけるデータの通信速度が遅い場合に、ネットワークから受信した番組情報を、放送内容に連動して表示することが困難となる虞がある。
【００１４】
ここで、本願出願に先だって存在する関連技術としては、例えば以下の特許文献がある。
【００１５】
特許文献１は、インターネットを通じて提供されるサービスを、外出先などにおいても、自由自在にそのサービスを利用することができ、インターネットの双方向通信性を有効利用することのできる放送通信サービスにおける制御通信システムを開示している。  特許文献２は、ＩＰ（Ｉｎｔｅｒｎｅｔ  Ｐｒｏｔｏｃｏｌ）ヘッダを使ったデータ放送方式の受信データと、ＩＰヘッダを使わないデータ放送方式の受信データとの両方の方式に対応するデータ放送受信装置を開示している。
【００１６】
デジタル放送に関する文献は、他にも数多く存在しており、特許文献３および特許文献４には、パケット送信機器に関する技術が開示されている。
【先行技術文献】
【特許文献】
【００１７】
【特許文献１】特開２００３−１３４１１２号公報
【特許文献２】特開平１０−３４１２２８号公報
【特許文献３】特許第４８８６６８９号公報
【特許文献４】特許第４８４３９０３号公報
【発明の概要】
【発明が解決しようとする課題】
【００１８】
しかしながら、特許文献１乃至４に提案されている技術において、放送している番組に連動して、その番組に関する情報を提供することについては考慮していない。
【００１９】
そこで、本発明は、番組情報等を放送内容に連動して提供（提示）可能な放送受信制御装置等の提供を主たる目的とする。
【課題を解決するための手段】
【００２０】
上記の目的を達成すべく、本発明の一態様に係る放送受信制御装置は、以下の構成を備える。
【００２１】
即ち、本説明の一態様に係る放送受信制御装置は、
映像データとＩＰデータとを含む放送波に対応するデータを、前記映像データと前記ＩＰデータとに分けるデータ分離手段と、
前記ＩＰデータにＴＣＰヘッダを付加することによりＴＣＰ／ＩＰデータを生成するＴＣＰヘッダ追加手段とを備える。
【００２２】
同目的を達成する本発明の一態様に係る放送受信装置は、
前記の放送受信制御装置と、
前記放送波を受信するチューナ手段と、
前記映像データを画面に表示、または、記憶装置に蓄積することが可能な映像データ処理手段と、
前記ＴＣＰ／ＩＰデータを外部装置に出力する出力手段とを
備える。
【００２３】
同目的を達成する本発明の一態様に係る表示装置は、
使用者に関する情報を格納する使用者情報格納手段と、
前記使用者情報格納手段に格納された情報を基に請求項２乃至４の何れかに記載の放送受信装置から受信したデータから、表示するデータを抽出し、その抽出したデータを基に、表示する内容を表すデータを作成する作成手段と、
前記作成手段が作成したデータを画面に表示する表示手段とを
備える。
【００２４】
同目的を達成する本発明の一態様に係る受信データ表示方法は、
情報処理装置が、
映像データとＩＰデータとを含む放送波を受信し、前記放送波を前記映像データと前記ＩＰデータとに分けて、
前記ＩＰデータにＴＣＰヘッダを付加することによりＴＣＰ／ＩＰデータを生成し、
前記ＴＣＰ／ＩＰデータを外部装置に出力する。
【００２５】
更に、同目的は、上記構成を有する放送受信制御装置、或いは受信データ表示方法を、コンピュータによって実現するコンピュータ・プログラム、及びそのコンピュータ・プログラムが格納されている、コンピュータ読み取り可能な記憶媒体によっても達成される。
【発明の効果】
【００２６】
上記の本発明によれば、番組情報等を放送内容に連動して提供（提示）することができるという効果がある。
【図面の簡単な説明】
【００２７】
【図１】本発明の第１の実施形態に係る放送受信制御装置の構成を示すブロック図である。
【図２】本発明の第２の実施形態に係る放送受信装置の構成を示すブロック図である。
【図３】本発明の第２の実施形態に係る各部の間で授受するデータの構造を説明する図である。
【図４】本発明の第２の実施形態に係る放送受信装置における処理を示すフローチャートである。
【図５】本発明の第２の実施形態に係る放送受信装置の外部表示装置が複数台ある場合の構成を示すブロック図である。
【図６】本発明の第３の実施形態に係る放送受信装置の構成を示すブロック図である。
【図７】本発明の第４の実施形態に係る外部表示装置の構成を示すブロック図である。
【図８】一般的な放送受信装置の構成の一例を示す図である。
【発明を実施するための形態】
【００２８】
次に、本発明を実施する形態について図面を参照して詳細に説明する。
【００２９】
＜第１の実施形態＞
図１は、本発明の第１の実施形態に係る放送受信制御装置の構成を示すブロック図である。
【００３０】
本実施形態に係る放送受信制御装置１は、チューナ４が受信した、映像データとＩＰデータとを含む放送波に対応するデータを受信する。ＩＰデータは、映像データの番組情報等を表すデータである。
【００３１】
放送受信制御装置１は、データ分離部２と、ＴＣＰ（Ｔｒａｎｓｍｉｓｓｉｏｎ  Ｃｏｎｔｒｏｌ  Ｐｒｏｔｏｃｏｌ）ヘッダ追加部３とを有する。
【００３２】
データ分離部２は、受信した放送波に対応するデータを映像データとＩＰデータとに分ける。
【００３３】
ＴＣＰヘッダ追加部３は、データ分離部２により分けられたＩＰデータにＴＣＰヘッダを付加して、ＴＣＰ／ＩＰデータを作成する。
【００３４】
映像データは、例えばテレビやレコーダーのような映像データを処理することが可能な処理装置５に渡される。
【００３５】
ＴＣＰ／ＩＰデータは、表示装置６に送信されて、そのデータに基づく画像が表示装置６の画面に表示される。
【００３６】
以上、説明したように、第１の実施形態には、番組情報等を放送内容に連動して提供することができるという効果がある。
【００３７】
その理由は、本実施形態に係る放送受信制御装置１は、映像データと、番組情報データ（ＩＰデータ）とを含む放送波に対応するデータを受信して、そのデータを映像データと、番組情報データとに分けるからである。そして、放送受信制御装置１は、ＩＰデータにＴＣＰヘッダを付加したＴＣＰ／ＩＰデータを送信する。すなわち、放送受信制御装置１は、ＴＣＰプロトコルを用いてデータの送信を行う。ＴＣＰプロトコルは、送信先とコネクションを確立して、データの送信、応答確認、必要に応じて再送を行う信頼性の高いプロトコルであるので、放送受信制御装置１は、通信時のエラー防止も図ることができる。
【００３８】
なお、上述した実施形態において、図１に示した放送受信制御装置１の機能は、その機能を実現可能なコンピュータ・プログラムを、ハードウェア資源であるコンピュータ（情報処理装置）が有するＣＰＵ（Ｃｅｎｔｒａｌ  Ｐｒｏｃｅｓｓｉｎｇ  Ｕｎｉｔ）において、実行することによっても達成可能である。このことは、後述する第２の実施形態において図２に示す放送受信装置１０１および図５に示す放送受信装置１０２、第３の実施形態において図６に示す放送受信装置１０３、第４の実施形態において図７に示す外部表示装置２０４についても同様である。
【００３９】
＜第２の実施形態＞
次に上述した第１の実施形態に係る放送受信制御装置を基本とする第２の実施形態について説明する。図２は、本発明の第２の実施形態に係る放送受信装置の構成を示すブロック図である。図３は、本発明の第２の実施形態に係る各部の間で授受するデータの構造を説明する図である。
【００４０】
本実施形態に係る放送受信装置１０１は、デジタル放送を受信する機能を有する装置である。放送受信装置１０１は、例えばテレビ、レコーダー、セットトップボックスなどである。
【００４１】
放送受信装置１０１は、チューナ部１１と、データ分離部１２と、映像データ処理部１３と、ＴＣＰヘッダ追加部１４と、送受信部１５とを有する。
【００４２】
チューナ部１１は、デジタル放送波に含まれる、放送受信装置１０１において処理対象とするデータを受信する。チューナ部１１が受信するデータは、図３の（ａ）に示すように、テレビの映像データと、ＩＰデータとを含むデータである。ＩＰデータは、例えば映像データに含まれる番組に関する情報である。
【００４３】
データ分離部１２は、チューナ部１１が受信したデータを、映像データとＩＰデータとに分離する。データ分離部１２は、例えば、データの長さにより映像データとＩＰデータとを分離することが可能である。また、データ分離部１２は、データの内容を先頭から参照して、ＵＤＰ（Ｕｓｅｒ  Ｄａｔａｇｒａｍ  Ｐｒｏｔｏｃｏｌ）ヘッダを検出した場合に、ＵＤＰヘッダ以降をＩＰデータとみなすことができる。但し、本実施形態を例に説明する本発明において、係る分離方法は限定されない。
【００４４】
データ分離部１２は、映像データを映像データ処理部１３に入力する。データ分離部１２が映像データ処理部１３に入力するデータは、図３の（ｂ）に示すような本編映像データである。
【００４５】
データ分離部１２は、ＩＰデータをＴＣＰヘッダ追加部１４に入力する。データ分離部１２がＴＣＰヘッダ追加部１４に入力するデータは、図３の（ｃ）に示すようなＩＰデータである。  映像データ処理部１３は、入力された映像データを、例えば液晶パネルや記憶装置などに入力する。映像データ処理部１３が行う映像データに関する処理は、一般的なテレビ、レコーダー等において、画面に表示したり、記憶装置に蓄積するために行われている既存の処理と同様のため、詳細な説明は省略する。
【００４６】
ＴＣＰヘッダ追加部１４は、入力されたＩＰデータに、ＴＣＰヘッダを付加して、ＴＣＰ／ＩＰデータを生成する。ＴＣＰヘッダを付加する方法は、一般的に知られた方法で行えばよいので、ここでの説明は省略する。そして、ＴＣＰヘッダ追加部１４は、生成したＴＣＰ／ＩＰデータを送受信部１５に入力する。送受信部１５に入力するデータは、図３の（ｄ）に示すように、ＩＰデータにＴＣＰヘッダを付加したＴＣＰ／ＩＰデータである。
【００４７】
送受信部１５は、入力されたＴＣＰ／ＩＰデータを、例えば有線ＬＡＮ又は無線ＬＡＮ、あるいは、これらの組み合わされたＬＡＮシステムによって外部表示装置２に送信する。
【００４８】
外部表示装置２は、放送受信装置１０１の送受信部１５から受信したＴＣＰ／ＩＰデータを基に、番組情報などを自装置に表示する。
【００４９】
次に、本実施形態の処理の流れについて図４を用いて説明する。
【００５０】
図４は、本発明の第２の実施形態に係る放送受信装置における処理を示すフローチャートである。
【００５１】
放送受信装置１０１のチューナ部１１は、アンテナ等から入力されたデジタル放送波から、本編の映像データと、番組情報等のＩＰデータとを受信する（ステップＳ１０１）。
【００５２】
データ分離部１２は、チューナ部１１が受信したデータを参照する。
【００５３】
受信したデータが本編の映像データの場合（ステップＳ１０２で「Ｙｅｓ」）、データ分離部１２は、映像データ処理部１３にその映像データを入力する。映像データ処理部１３は、映像データに対する処理（例えば、映像データを再生する、あるいは、録画するなどの画像処理）を行う(ステップＳ１０３）。
【００５４】
受信したデータがＩＰデータであった場合（ステップＳ１０２で「Ｎｏ」）、データ分離部１２は、ＴＣＰヘッダ追加部１４にそのＩＰデータを入力する。ＴＣＰヘッダ追加部１４は、入力されたＩＰデータにＴＣＰヘッダを付加する（ステップＳ１０４）。ＴＣＰヘッダ追加部１４は、ＴＣＰヘッダを付加することにより、作成したＴＣＰ／ＩＰデータを送受信部１５に入力する。送受信部１５は、外部表示装置２０１に対してＴＣＰ／ＩＰ接続を確立し、ＴＣＰヘッダ追加部１４から入力されたデータを、外部表示装置２０１に送信する（ステップＳ１０５）。
【００５５】
デジタル放送波を受信していない状態であっても、放送受信装置１０１は、チューナ部１１によりデータを受信した際には、そのデータに対する処理をすることができるように、データ分離部１２は、動作可能な状態で待機する。そして、放送受信装置１０１は、データの受信が終了するまで、図４を用いて説明した前述の処理を継続する。
【００５６】
なお、本実施形態において、放送受信装置１０１がＴＣＰ／ＩＰデータを送信する相手先の外部表示装置２０１は、１台として説明したが、外部表示装置２０１は、複数存在してもよい。
【００５７】
図５は、本発明の第２の実施形態に係る放送受信装置の外部表示装置が複数台ある場合の構成を示すブロック図である。図５において、放送受信装置１０２がＴＣＰ／ＩＰデータを送信する相手先は、外部表示装置２０２、２１２および２２２である。
【００５８】
このとき、送受信部２５は、ＴＣＰヘッダを付加したデータを、外部表示装置２０２、２１２および２２２の各々に対応したＩＰアドレスに向けて送信する。これにより、外部表示装置２０２、２１２、および２２２が有するそれぞれの画面に番組情報等のデータに基づく映像コンテンツを表示可能となる。
【００５９】
以上、説明したように、第２の実施形態には、番組情報等を放送内容に連動して表示することができるという効果がある。
【００６０】
その理由は、本実施形態に係る放送受信装置（１０１および１０２）は、映像データと、番組情報データとを含む放送波を受信するからである。
【００６１】
さらに、本実施形態に係る放送受信装置（１０１および１０２）は、番組情報等のＩＰデータにＴＣＰヘッダを付加することによって、外部表示装置（２０１、２０２、２１２、および２２２）へのデータの授受をより確実に実施することが可能である。
【００６２】
＜第３の実施形態＞
次に上述した第２の実施形態に係る放送受信装置を基本とする第３の実施形態について説明する。図６は、本発明の第３の実施形態に係る放送受信装置の構成を示すブロック図である。
【００６３】
本実施形態は、一例として、集合住宅を想定した構成である。
【００６４】
放送受信装置１０３は、集合住宅に１箇所設置されている共同受信装置である。
【００６５】
放送受信装置１０３は、チューナ部１１と、データ分離部１２と、ＴＣＰヘッダ追加部１４と、送受信部２５と、放送波符号化処理部３６とを有する。
【００６６】
放送波符号化処理部３６は、データ分離部１２によって生成された映像データを、再び放送波に符号化し、その放送波を放送受信装置１１３、１２３、１３３に対して送出する。放送受信装置１１３、１２３、１３３は、集合住宅を構成する各戸に設置されている。
【００６７】
放送受信装置１０３が有する放送波符号化処理部３６以外の各部は、第２の実施形態で説明したので、ここでは説明を省略する。
【００６８】
図６において点線で示した住宅４０３、４１３、４２３は、集合住宅を構成する各戸における構成単位を示している。図６では、集合住宅は、３戸からなる場合を一例として説明するが、集合住宅を構成する戸数はこれに限定されない。
【００６９】
次に、集合住宅の各戸における構成について、住宅４０３を例に説明する。
【００７０】
住宅４０３は、ルータ３０３と、外部表示装置２０３と、放送受信装置１１３とを有する。
【００７１】
放送受信装置１１３は、放送受信装置１０３の放送波符号化処理部３６から入力されたＩＰデータを含まない映像データのみの放送波を受信する。放送受信装置１１３は、例えばテレビ、レコーダー等である。放送受信装置１１３は、映像データのみを受信するので、データ分離部１２を有する必要がない。
【００７２】
ルータ３０３は、外部（ＷＡＮ：Ｗｉｄｅ  Ａｒｅａ  Ｎｅｔｗｏｒｋ）側は集合住宅内のＬＡＮと接続し、内部（ＬＡＮ）側は各戸内の各種ネットワーク機器と接続する。
【００７３】
外部表示装置２０３は、図４における外部表示装置（２０２、２１２、２２２）と同様の機能を有する。すなわち、外部表示装置２０３は、放送受信装置１０３内の送受信部２５が出力する番組情報などのデータを、ルータ３０３を経由して受信する。そして、外部表示装置２０３は、受信したデータに基づく画像を自装置に表示する。
【００７４】
ここまで、住宅４０３について説明したが、ルータ３１３と、外部表示装置２１３と、放送受信装置１２３とを有する住宅４１３、および、ルータ３２３と、外部表示装置２２３と、放送受信装置１３３とを有する住宅４２３についても同様である。
【００７５】
以上、説明したように、第３の実施形態には、ＩＰデータを含むテレビ放送波を集合住宅に設置した放送受信装置１０３が受信する際に、各戸に設置する放送受信装置１１３、１２３、１３３は、データ分離部１２を有していなくても、各戸において視聴者は、映像データとＩＰデータの視聴ができるという効果がある。
【００７６】
その理由は、本実施形態に係る放送受信装置１０３は、映像のみの放送波を放送受信装置１１３、１２３、１３３に送信するからである。
【００７７】
＜第４の実施形態＞
次に上述した第２の実施形態に係る放送受信装置を基本とする第４の実施形態について説明する。図７は、本発明の第４の実施形態に係る外部表示装置の構成を示すブロック図である。
【００７８】
図７に示す放送受信装置１０１は、第２の実施形態を示す図２と同様である。放送受信装置１０１は、番組情報として、使用者のさまざまな層に対応した内容を同梱した内容を、外部表示装置２０４に送信する。
【００７９】
外部表示装置２０４は、使用者情報格納部４１と、作成部４２と、表示部４３とを有する。
【００８０】
外部表示装置２０４は、例えば、タブレット端末である。そして、外部表示装置２０４として用いられる端末の多くは、使用者の現在地や年齢などの情報を格納している。
【００８１】
使用者情報格納部４１は、使用者のこのような情報を格納する。
【００８２】
作成部４２は、使用者情報格納部４１に格納された情報を基に、放送受信装置１０１から受信したデータから、表示する内容を表すデータを抽出する。そして、作成部４２は、抽出したデータを基に、表示する内容を表すデータを作成する。
【００８３】
表示部４３は、作成部４２が作成したデータを、外部表示装置２０４が有する画面に表示する。
【００８４】
以上、説明したように、第４の実施形態には、外部表示装置２０４の使用者に適した番組情報等のデータに基づく画像を外部表示装置２０４に表示することができるという効果がある。
【００８５】
その理由は、本実施形態に係る外部表示装置２０４は、放送受信装置１０１から受信したデータから、使用者にあったデータを抽出して、その抽出したデータに基づく画像を、自装置に表示するからである。
【００８６】
これにより、放送を提供する事業者は、視聴者に番組を視聴することをより効果的に訴求することが可能になる。
【符号の説明】
【００８７】
１    放送受信制御装置
２    データ分離部
３    ＴＣＰヘッダ追加部
４    チューナ
５    処理装置
６    表示装置
１１    チューナ部
１２    データ分離部
１３    映像データ処理部
１４    ＴＣＰヘッダ追加部
１５    送受信部
２５    送受信部
３６    放送波符号化処理部
４１    使用者情報格納部
４２    作成部
４３    表示部
９１    チューナ部
９３    映像データ処理部
９５    ＬＡＮ送受信部
１０１    放送受信装置
１０２    放送受信装置
１０３    放送受信装置
１１３    放送受信装置
１２３    放送受信装置
１３３    放送受信装置
１０９    放送受信装置
２０１    外部表示装置
２０２    外部表示装置
２１２    外部表示装置
２２２    外部表示装置
２０３    外部表示装置
２１３    外部表示装置
２２３    外部表示装置
２０４    外部表示装置
２０９    外部表示装置
３０３    ルータ
３１３    ルータ
３２３    ルータ
４０３    住宅
４１３    住宅
４２３    住宅
【図１】
2015204594.tif 000003
【図２】
2015204594.tif 000004
【図３】
2015204594.tif 000005
【図４】
2015204594.tif 000006
【図５】
2015204594.tif 000007
【図６】
2015204594.tif 000008
【図７】
2015204594.tif 000009
【図８】
2015204594.tif 000010